(57)【特許請求の範囲】
【請求項１】
電機子の軸を保持する負荷側ブラケット及び反負荷側ブラケットと、負荷であるインペラと負荷側ブラケットとの間に配されるエアガイドと、吸込口を有し、前記インペラとエアガイドを覆う板金のプレスで形成したファンケースを備え、前記ファンケース側面の反吸込口側端部を、反負荷側ブラケットのフランジ部より下方に突出させ、通風開口部を覆うまで軸方向に延設させたことを特徴とする電動送風機。
【請求項２】
反負荷側ブラケットの底部に凹状の当て板を配した請求項１記載の電動送風機。
【請求項３】
ファンケースの側端部を延設した部分で、反負荷側ブラケットの側面に設けた通風開口部より上方に位置する部分に開口部を設けた請求項１または２記載の電動送風機。
【請求項４】
ファンケースの側端部を延設した部分の、ホルダーと相対する位置に第２開口部を設けた請求項１〜３のいずれか１項記載の電動送風機。
【発明の詳細な説明】
【０００１】
【発明の属する技術分野】
本発明は、一般家庭で使用される電気掃除機の吸引用送風機等に用いられる電動送風機に関するものである。
【０００２】
【従来の技術】
近年、家庭用電気掃除機は、吸込仕事率のハイパワー化とともに、使用時の低騒音化が要求されている。
【０００３】
従来の電気掃除機用の電動送風機１を図６、電動送風機１を電気掃除機本体に組み込んだ状態を図７に示す。
【０００４】
電機子４の軸５に設けられた第１の軸受６は負荷側ブラケット３へ、第２の軸受７は反負荷側ブラケット２へ保持されている。軸５の一部には遠心ファンであるインペラ１３が備えられ、インペラ１３下方には、エアガイド１４が負荷側ブラケット３に固定されている。ファンケース１５は、インペラ１３とエアガイド１４を覆い反負荷側ブラケット２のフランジ部１２の外周に圧入されている。反負荷側ブラケット２の内側には界磁８が固定されており、また、ホルダー９を介して、ブラシ１０がそれぞれ一対備えられている。反負荷側ブラケット２には界磁８より下方部分で、電動送風機１内部を流れる風を排出するための通風開口部１１が設けられている。
【０００５】
電動送風機１は、反負荷側ブラケット２のフランジ部１２より下方の部分に、通気フォーム材からなる防音筒２０を取付けた後、弾性体からなるサポートゴム前１８、サポートゴム後１９によって、掃除機の本体２２に組み込まれている。また、最近では、低騒音化のため、防音筒２０の外周に、図６に示すような消音箱１７と呼ばれる第２の消音手段をさらに設けたり、その他では、排気通路の距離を長くして、低騒音化を図るため、本体２２を二重構造にし、排気の経路を折り返して排出するようにする手段が取られている。
【０００６】
上記構成において、電動送風機１に電力が供給されると、電機子４が回転し電機子４に取り付けられているインペラ１３も同時に回転する。インペラ１３の回転によって電動送風機前方の空気がインペラ１３に吸引され、空気は、インペラ１３内側から外側、エアガイド１４を通り反負荷側ブラケット２内部へ、そして通風開口部１１から出て防音筒２０を通過し外へという順に流れる。
【０００７】
【発明が解決しようとする課題】
このような従来の構成の電気掃除機用の電動送風機１では、電動送風機１の運転時に発生する風切り音や、耳障りな高周波音は、空気の流れが、防音筒２０を通過するときに、ある程度緩和されるが、近年の家庭用電気掃除機のハイパワー化によって、発生する音の絶対レベルが上がり、防音筒２０だけでは対応しきれなくなりつつあり、掃除機の使用者にとって、非常に不快に感じられている。
【０００８】
また、電動送風機１の周囲に、別部品で低騒音化対策をする方法や、本体の排気通路を複雑化し低騒音化対策をすることは、使用者にとっては低騒音化につながるが、製品の製造コストの上昇、組立性の低下をを招く。
【０００９】
本発明は、以上のような従来の課題を解決しようとするものであって、簡易な構成にて低騒音の電動送風機を提供することを目的としている。
【００１０】
【課題を解決するための手段】
上記目的を達成するために本発明は、従来から使用している部品である板金のプレスで形成したファンケースの形状を工夫し、そのファンケースの端部を軸方向に延長することによって、電動送風機全体をラジアル方向に対して覆ってしまうので、部品点数を増やさずに、電動送風機内部で発生した騒音、特に耳障りな高周波音の透過音が抑制でき、低騒音化を図ることができる。
【００１１】
【発明の実施の形態】
本発明の請求項１記載の発明は、電機子の軸を保持する負荷側ブラケット及び反負荷側ブラケットと、負荷であるインペラと負荷側ブラケットとの間に配されるエアガイドと、吸込口を有し、前記インペラとエアガイドを覆う板金のプレスで形成したファンケースを備え、前記ファンケース側面の反吸込口側端部を、反負荷側ブラケットのフランジ部より下方に突出させ、通風開口部を覆うまで軸方向に延設させたので、電動送風機内部で発生する騒音で、特に指向性が高く耳障りな高周波が、外部へ透過するのを抑制することができるので、低騒音の電動送風機を提供することができる。
【００１２】
本発明の請求項２記載の発明は、請求項１記載の発明の反負荷側ブラケットの底部に凹状の当て板を配するので、簡単な構成で排気通路の距離を拡大できるので、電動送風機内部で発生する騒音の透過音を抑制すると同時に、排気経路に沿って外部に排出される騒音も抑制でき、低騒音の電動送風機を提供することができる。
【００１３】
本発明の請求項３記載の発明は、請求項１又は２記載の発明のファンケースの側端部を延設した部分で、反負荷側ブラケットの側面に設けた通風開口部より上方に位置する部分に開口部を設けたもので、本体との隙間の空間を利用し、簡単な構成で排気通路の距離をさらに拡大でき、排気経路に沿って外部に排出される騒音も抑制でき、低騒音の電動送風機を提供することができる。
【００１４】
本発明の請求項４記載の発明は、請求項１〜３のいずれか１項記載の発明のファンケースの側端部を延設した部分の、ホルダーと相対する位置に第２開口部を設けたので、ブラシおよび、ホルダー近傍の通過風量が増加することで、冷却効果が増し、ブラシの温度上昇を抑制できるので、高効率で、高信頼性で、かつ、低騒音の電動送風機を提供することができる。
【００１５】
【実施例】
（実施例１）
以下、本発明の実施例１を図１を用いて説明する。
【００１６】
図１に示すように、２４は電動送風機で、電機子４の軸５に設けられた第１の軸受６は負荷側ブラケット３へ、第２の軸受７は反負荷側ブラケット２へ保持されている。軸５の一部には遠心ファンであるインペラ１３が備えられ、インペラ１３下方には、エアガイド１４が負荷側ブラケット３に固定されている。インペラ１３の吸気口に対応した吸込口１６を備えたファンケース２５は、板金のプレス等によって形成されており、また、ファンケース２５は、インペラ１３とエアガイド１４を覆い反負荷側ブラケット２のフランジ部１２の外周側面に圧入され、固定されている。ファンケース２５の側面は、フランジ部１２との圧入部分より下方へ、反負荷側ブラケット２の下部の外周部分との間に空間部Ａを形成しながら、通風開口部１１を覆うよう延設されている。ファンケース２５側面と反負荷側ブラケット２の間の空間部Ａには通気性ウレタンフォーム等の吸音材からなる防音筒２０が具備されている。反負荷側ブラケット２の内側には界磁８が固定されており、また、ホルダー９を介して、ブラシ１０がそれぞれ一対備えられている。反負荷側ブラケット２には界磁８より下方部分で、電動送風機１内部を流れる風を排出するための通風開口部１１が設けられている。
【００１７】
上記構成による作用は以下の通りである。すなわち、電動送風機２４が運転されると、電機子４が回転し電機子４に取り付けられているインペラ１３も同時に回転する。インペラ１３の回転によって電動送風機前方の空気がインペラ１３に吸引され、空気は、インペラ１３内側から外側、エアガイド１４を通り反負荷側ブラケット２内部へ、そして通風開口部１１を通り、ファンケース２５側面と反負荷側ブラケット２の間の空間部Ａを、防音筒２０を通過しながら、下方へ排出される（図中の矢印）。
【００１８】
このとき、ファンケース２５側面を、反負荷側ブラケット２のフランジ部１２より下方に延設させ覆うことによって、透過する音を遮断する効果を高めることができるので、電動送風機２４の内部で発生した騒音で、特に指向性が高く耳障りな高周波が、外部へ透過するのを抑制することができる。
【００１９】
（実施例２）
次に本発明の実施例２を図２を用いて説明する。なお上記実施例１と同一構成部品については同一符号を付与して、その詳細な説明を省略する。
【００２０】
図２に示すように、反負荷側ブラケット２の底面に、側面が反負荷側ブラケット２に設けられている通風開口部１１の一部、あるいは全体とオーバーラップする、凹形状の当て板Ａ３０が設けられている。当て板Ａ３０と反負荷側ブラケット２の間の空間には、吸音材等からなる防音板３１が具備されている。
【００２１】
上記構成による作用は以下の通りである。すなわち、電動送風機２４が運転されて、通風開口部１１をから出た空気の流れは、当て板Ａ３０に衝突し、防音板３１で騒音を吸収されながら、上方へと方向が変化する。続いて当て板Ａ３０と反負荷側ブラケット２の間を上方へと流れている空気はフランジ部１２とファンケース２５側面に沿うように流れの方向を変化させながら進み、当て板Ａ３０側面とファンケース２５側面の間を抜け下方に排出される（図中の矢印）。
【００２２】
このとき、簡単な構成で排気通路の距離を拡大できるので、電動送風機２４内部で発生し、排気経路に沿って外部に排出される騒音も抑制することができる。
【００２３】
（実施例３）
次に本発明の実施例３を図３、図４を用いて説明する。なお上記実施例と同一構成部品については同一符号を付与して、その詳細な説明を省略する。
【００２４】
図３に示すように、ファンケース２５側面に、反負荷側ブラケット２のフランジ部１２との圧入部より下方に開口部Ａ３６が複数設けられ、さらにファンケース２５側面の下方は通風開口部１１の略外周部を覆っている。当て板Ｂ３７は凹形状で、板金のプレス等で形成され、側面はファンケース２５の下方開口縁２５ａに圧入等の方法で固定され、底部は、反負荷側ブラケット２側底部に圧接されている。当て板Ｂ３７の内側には吸音材等からなる防音板３１が具備されている。
【００２５】
また、上記構成の電動送風機２４は、弾性体からなるサポートゴム前１８、サポートゴム後１９によって、電気掃除機の本体２２に組み込まれている。また、上記実施例１及び２の電動送風機も電気掃除機の本体２２に同様な形で組み込まれるものである。
【００２６】
上記構成による作用は以下の通りである。すなわち、電動送風機２４が運転されて、通風開口部１１から出た空気は、当て板Ｂ３７に衝突し、防音板３１で騒音を吸収されながら、上方へと方向が変化する。続いてファンケース２５の側面と反負荷側ブラケット２の間をを上方へと流れている空気はファンケース２５側面の開口部Ａ３６を通り排出される（図中の矢印）。
【００２７】
このとき、簡単な構成で排気通路の距離をさらに拡大し、しかも、排気通路の断面積を大きく確保できるので、防音筒２０や防音板３１の吸音材を多く使用することが可能となり、併せて排気圧損増大による性能低下を抑制しながら、騒音を抑制することができる。なお、本実施例では当て板Ｂ３７によりファンケースの２５の下方開口縁２５ａに圧入する構成であるが、実施例２に示す当て板Ａ３０を用いてもよい。
【００２８】
（実施例４）
次に本発明の実施例４を図５を用いて説明する。なお上記実施例３と同一構成部品については同一符号を付与して、その詳細な説明を省略する。
【００２９】
図５に示すように、ファンケース２５側面で、ホルダー９に相対する付近に第２の開口部Ｂ３８が設けられている。
【００３０】
上記構成による作用は以下の通りである。すなわち、電動送風機２４が運転されて、通風開口部１１をから出た空気の流れは、当て板Ｂ３７に衝突し、防音板３１で騒音を吸収されながら、ファンケース２５側面と反負荷側ブラケット２に囲まれた空間に排出される。排出された排気は、第２の開口部Ｂ３８を通り排出される（図中の矢印）。
【００３１】
このとき、電動送風機２４から排出される空気は、ホルダー９近傍を通過するため、ブラシ１０および、ホルダー９近傍の通過風量が従来より増加するので、冷却効果が増し、ブラシの温度上昇を抑制できるため、高効率で、高信頼性で、かつ、騒音を抑制することができる。
【００３２】
【発明の効果】
本発明の請求項１記載の発明によれば、従来の構成部品であるファンケースの側面を延設させ、電動送風機下部まで覆う構成とするので、透過する音を遮断する効果を高めることができ、耳障りな音が抑制された低騒音で、安価な電動送風機を提供することができる。
【００３３】
本発明の請求項２記載の発明によれば、反負荷側ブラケットの底部に凹形状の当て板を設けるので、簡単な構成で、排気経路を屈曲、延長でき、排気経路に沿って外部に排出される騒音も抑制され、より低騒音の電動送風機を提供することができる。
【００３４】
本発明の請求項３記載の発明によれば、延設されたファンケース側面に開口部を設けるので、排気経路の断面積を確保しながら、排気を大きく屈曲、延長でき、性能低下を抑制しながら、騒音をさらに低減した低騒音の電動送風機を提供することができる。
【００３５】
本発明の請求項４記載の発明によれば、延設されたファンケース側面で、ホルダー近傍に開口部を設けるので、ブラシの温度上昇を抑制でき、高性能、高信頼性で、低騒音の電動送風機を提供することができる。
【図面の簡単な説明】
【図１】本発明の実施例１における電動送風機の一部破断側面図
【図２】本発明の実施例２における電動送風機の一部破断側面図
【図３】本発明の実施例３における電動送風機の一部破断側面図
【図４】同電動送風機を組み込んだ電気掃除機本体の断面図
【図５】本発明の実施例４における電動送風機の一部破断側面図
【図６】従来の電動送風機の一部破断側面図
【図７】従来の電動送風機を組み込んだ電気掃除機本体の断面図
【符号の説明】
２  反負荷側ブラケット
３  負荷側ブラケット
４  電機子
９  ホルダー
１１  通風開口部
１３  インペラ
１４  エアガイド
２５  ファンケース
３０  当て板Ａ
３６  開口部Ａ
３７  当て板Ｂ
３８  開口部Ｂ（第２開口部）
【図１】
0003804221.tif 000002
【図２】
0003804221.tif 000003
【図３】
0003804221.tif 000004
【図４】
0003804221.tif 000005
【図５】
0003804221.tif 000006
【図６】
0003804221.tif 000007
【図７】
0003804221.tif 000008